(57)【要約】【課題】  指で挟んだ所定量の髪を特定方向に適度な力で挟み上げ、これをカットする練習が低コストでできる毛髪カット練習用器具を提供する。【解決手段】  帯状シート７をロール状に巻回してなる毛髪カット練習用のロール体２と、前記ロール体２を回転自在に収容保持する収容ボックス３と、収容ボックス３の先端部に設けられてロール体２から繰り出された帯状シート７をシート面の上下位置を規制した状態で通過させると共に所定の抵抗を帯状シート７に付与するシート繰出部４と、前記収容ボックス３を、前記ロール体２の軸心に対しほぼ直交する方向を軸心として回転可能で、かつ回転位置の位置決めが可能なように支持する基台５とを備える。【選択図】  図１
2006154468.tif 000002
【特許請求の範囲】
【請求項１】
帯状シートをロール状に巻回してなる毛髪カット練習用のロール体と、前記ロール体を回転自在に収容保持する収容ボックスと、収容ボックスの先端部に設けられてロール体から繰り出された帯状シートをシート面の上下位置を規制した状態で通過させると共に所定の抵抗を帯状シートに付与するシート繰出部と、前記収容ボックスを、前記ロール体の軸心に対しほぼ直交する方向を軸心として回転可能で、かつ回転位置の位置決めが可能なように支持する基台とを備えたことを特徴とする毛髪カット練習用器具。
【請求項２】
収容ボックスを基台に回転可能かつ離接可能に軸支すると共に、収容ボックス又は基台の一方に横断面正多角形状の凸部を設け、他方に前記凸部が嵌合する凹部を形成し、かつ収容ボックスを基台側に付勢する付勢手段を設け、付勢手段により収容ボックスが基台に接近している場合に前記凸部と前記凹部とが嵌合状態となり、付勢手段に抗して収容ボックスを基台が離開させた場合に前記凸部と前記凹部との嵌合状態が解除されるように構成した請求項１記載の毛髪カット練習用器具。
【請求項３】
前記凸部は横断面正８角形状に形成された請求項２記載の毛髪カット練習用器具。
【請求項４】
シート繰出部は、ロール体の軸心と平行に備えられたシート面方向規制軸と、前記シート面方向規制軸に対向する位置に設けた軟弾性材とからなり、ロール体から繰り出された帯状シートは前記シート面方向規制軸と前記軟弾性材との間において前記軟弾性材の押圧力を付与されるように構成された請求項１から３のいずれかに記載の毛髪カット練習用器具。
【請求項５】
毛髪カット練習用器具を取り付けて支持するための取付支持台のテーパー状挿入取付部に、嵌挿されるテーパー形状の固定用穴部を、基台に形成した請求項１から４のいずれかに記載の毛髪カット練習用器具。
【請求項６】
帯状シートは、紙からなる請求項１から５のいずれかに記載の毛髪カット練習用器具。
【発明の詳細な説明】
【技術分野】
【０００１】
本発明は、毛髪のカット練習に用いられる毛髪カット練習用器具に関し、特にロール状に巻回された毛髪カット練習用の帯状シートを繰出す毛髪カット練習用器具に関するものである。
【背景技術】
【０００２】
従来、理容師、美容師並びに国家試験受験予定の練習生が、毛髪をカットする調髪技術を習得する際に、実際の人毛が植え込まれたヘアーカッティング用人形（カットウィッグ）を用いた練習が行なわれていた。しかし、近年、人毛の入手が困難となり、カットウィッグのコストが高騰しはじめた。このようなことから、毛髪のカットの練習に用いられる用具として長尺紙が提案されている（例えば、特許文献１参照。）。
【０００３】
この毛髪カット練習用紙は、髪のカットの練習に用いられる用具であって、手の中指の長さよりも短く、かつ、鋏による一カット分の長さより長い幅を有するシートであり、シートには所定の線が描かれたものであった。
【特許文献１】特開平１０−２２８２３２号公報
【発明の開示】
【発明が解決しようとする課題】
【０００４】
しかしながら、上記特許文献１記載の毛髪カット練習用紙は、所定幅を有するシート上に罫線を印刷した単なるシート紙であるため、鋏の操作の技術しか取得できない。つまり従来のものでは、鋏操作の前段階にあたる所定量の髪を指で挟みその髪を特定方向に適度な力で挟み上げるという基本調髪技術を取得することができなかった。
そこで、本発明は、指で挟んだ所定量の髪を特定方向に適度な力で挟み上げ、これをカットする練習が低コストでできる毛髪カット練習用器具を提供することを目的とする。
【課題を解決するための手段】
【０００５】
本発明は上記目的を達成するため、帯状シートをロール状に巻回してなる毛髪カット練習用のロール体と、ロール体を回転自在に収容保持する収容ボックスと、収容ボックスの先端部に設けられてロール体から繰り出された帯状シートをシート面の上下位置を規制した状態で通過させると共に所定の抵抗を帯状シートに付与するシート繰出部と、収容ボックスを、ロール体の軸心に対しほぼ直交する方向を軸心として回転可能で、かつ回転位置の位置決めが可能なように支持する基台とを備えたことを特徴とする。
【０００６】
本発明の毛髪カット練習用器具によれば、ロール状に巻回された毛髪カット練習用の帯状シートを繰り出す際に、シート繰出部においてシート面の上下位置を規制した状態で帯状シートを通過させることにより、そのシート面上方向からシート面下方向のいずれかの任意の方向に規制しながら帯状シートを繰り出すことができるため、指で挟んだ髪を特定方向に挟み上げるという練習ができる。またシート繰出部において所定の抵抗を帯状シートに付与することにより、帯状シートを所定のテンション以上で引っ張ると繰り出し可能となり、また所定のテンション未満であると繰り出し不可能となる。そしてこの所定のテンションは実際の毛髪を引っ張った際に人が痛いと感じる程度の引き力となるように抵抗を構成しているため、これにより指で挟んだ髪が弛まないようにかつ相手に痛みを与えないように適度な力で挟み上げるという練習ができる。また収容ボックスが基台に回転可能でかつ回転位置の位置決めが可能なように支持されることにより、前記シート繰出部におけるシート面の上下位置規制とあいまって、帯状シートの繰出し方向および繰出される帯状シートのシート面方向のバリエーションが増大し、指で挟んだ髪を特定方向に挟み上げるという練習ができる。また繰出した帯状シートの長さを変化させることにより、毛髪が長い場合や短い場合など種々の練習ができる。
【０００７】
上記構成において、収容ボックスを基台に回転可能かつ離接可能に軸支すると共に、収容ボックス又は基台の一方に横断面正多角形状の凸部を設け、他方に凸部が嵌合する凹部を形成し、かつ収容ボックスを基台側に付勢する付勢手段を設け、付勢手段により収容ボックスが基台に接近している場合に凸部と凹部とが嵌合状態となり、付勢手段に抗して収容ボックスを基台が離開させた場合に凸部と凹部との嵌合状態が解除されるように構成すると好ましく、特に凸部は横断面正８角形状に形成するとより好ましい。
【０００８】
また、シート繰出部は、ロール体の軸心と平行に備えられたシート面方向規制軸と、シート面方向規制軸に対向する位置に設けた軟弾性材とからなり、ロール体から繰り出された帯状シートはシート面方向規制軸と前記軟弾性材との間において軟弾性材の押圧力を付与されるように構成すると好ましい。
【０００９】
また、上記構成に加えて、毛髪カット練習用器具を取り付けて支持するための取付支持台のテーパー状挿入取付部に、嵌挿されるテーパー形状の固定用穴部を、基台に形成すると、帯状シートの繰出し方向および繰出される帯状シートのシート面方向のバリエーションが増大し、指で挟んだ髪を特定方向に挟み上げるという練習ができる。
【００１０】
そして、上記構成において、帯状シートを紙からなる構成にすると好適である。
【発明の効果】
【００１１】
本発明によれば、指で挟んだ所定量の髪を特定方向に適度な力で挟み上げ、これをカットする練習が低コストでできる毛髪カット練習用器具を提供することができる。
【発明を実施するための最良の形態】
【００１２】
以下に本発明の実施形態を図１〜図１１に基づいて詳細に説明する。
【００１３】
本実施形態の毛髪カット練習用器具１は、図１に示すように、帯状シート７をロール状に巻回してなる毛髪カット練習用のロール体２と、前記ロール体２を回転自在に収容保持する収容ボックス３と、収容ボックス３の先端部に設けられてロール体２から繰り出された帯状シート７をシート面の上下位置を規制した状態で通過させると共に所定の抵抗を帯状シート７に付与するシート繰出部４と、前記収容ボックス３を、前記ロール体２の軸心に対しほぼ直交する方向を軸心として回転可能で、かつ回転位置の位置決めが可能なように支持する基台５とを備えている。
【００１４】
前記帯状シート７は、長尺状の毛髪カット練習用シート紙であって、珪素や砂や石灰など鋏を傷めるような材質を含有しない紙からなっており、そのシート幅は、３７ｍｍに形成されている。なお、帯状シート７の幅は、種々の長さに変更することができ、毛髪をカットする際に指で挟み上げる毛髪量（挟み幅）に応じて、例えば１０ｍｍ〜７０ｍｍ程度に形成すると好ましい。また、帯状シート７の表面にはキリトリ罫線が印刷され、裏面には広告宣伝情報が印刷されている。そして、ロール体２は、円筒体８に帯状シート７をロール状に巻回して形成されている。
【００１５】
前記収容ボックス３は、図１、図７に示すように、中央にロール体２を収容する収容部６と、先端にロール体２から繰り出された帯状シート７を外部へ送るシート繰出部４と、基端に基台５に回転可能かつ離接可能に軸支する軸支部９が形成されている。前記収容部６は、底面および天面が解放され、両側壁間にロール体２を軸支する軸１０が懸架されている。この軸１０は、収容部６から着脱自在となるように、ネジとネジ穴を有する軸とからなっている。そして、ロール体２はその円筒体８内に軸１０を挿通させた状態で収容部６内に収容される。
【００１６】
前記シート繰出部４は、図１、図５、図７に示すように、前記軸１０（ロール体２の軸心）と平行に備えられたシート面方向規制軸１１と、前記シート面方向規制軸１１に対向する下方位置に設けたスポンジ（軟弾性材）１２とからなり、ロール体２から繰り出された帯状シート７はシート面方向規制軸１１とスポンジ１２との間においてスポンジ１２の押圧力を付与されるように構成されている。前記シート面方向規制軸１１は、前記軸１０と同様に両側壁間に懸架されている。前記スポンジ１２は、上面がＵ字状に形成されており、シート面方向規制軸１１の下方に設けられた支持部材１３に支持されている。そして、スポンジ１２は、その頂点より若干下方の傾斜面において、シート面方向規制軸１１を所定の力で押圧するように形成されている。これにより、シート面方向規制軸１１と前記スポンジ１２との間から帯状シート７を引き出そうとすると、帯状シート７にスポンジ１２の押圧力が付与され、帯状シート７を所定のテンション以上で引っ張らなければ引き出せないものとなる。そしてこの所定のテンションを実際の毛髪を引っ張った際に人が痛いと感じる程度の引き力となるように、スポンジ１２の押圧力を調整（材質の変更・高さの変更等）することで、指で挟んだ髪が弛まないようにかつ相手に痛みを与えないように適度な力で挟み上げるという練習ができる。なお、シート繰出部４は、上側にスポンジ１２、下側にシート面方向規制軸１１を備えた構成にしても良い。
【００１７】
前記軸支部９は、図１、図７〜図９に示すように、収容ボックス３を基台５に回転可能かつ離接可能に軸１７により軸支すると共に、収容ボックス３に横断面正８角形状の凸部１４を設け、基台５に前記凸部１４が嵌合する凹部１５を形成し、かつ収容ボックス３を基台５に付勢するスプリング（付勢手段）１６を設け、スプリング１６により収容ボックス３が基台５に接近している場合に前記凸部１４と前記凹部１５とが嵌合状態となり、スプリング１６に抗して収容ボックス３を基台５が離開させた場合に前記凸部１４と前記凹部１５との嵌合状態が解除されるように構成されている。前記軸１７は、基台５の内部から基台５と収納ボックス３との接触面側に向けて貫通した六角ボルト１８とこれを固定する六角ナット１９からなっている。前記スプリング１６は、収納ボックス３の内部において、前記六角ボルト１８を中心に、その先端に取付けた袋ナット２０と平ワッシャ２１との間に備えられている。そして、前記凸部１４は図８に示すように収納ボックス３の基台５との接触面に横断面正８角形となるように形成されており、その中央には六角ボルト１８が貫通すると共に六角ナット１９が収納できる貫通孔が形成されている。また前記凹部１５は基台５の収納ボックス３との接触面に前記凸部１４と嵌合できるように形成されており、その中央には、六角ボルト１８が貫通する貫通孔が形成されている。そして、通常、図７に示すように、収納ボックス３は、スプリング１６の付勢により基台５に近接し凸部１４が凹部１５に嵌合した状態となって、回転することができない。これを図９に示すように、収納ボックス３をスプリング１６の付勢力に抗して基台５と離脱させ、凸部１４と凹部１５との嵌合を解除すると回転することができる。そして所望の回転位置に収納ボックス３を回転させて、通常状態にすると再び凸部１４と凹部１５が嵌合し、その回転位置の位置決めができる。なお凸部１４は横断面正８角形に形成されているため、４５度づつ回転位置の位置決めができる。
【００１８】
前記基台５は、上述した収納ボックス３を回転軸支する軸支部９と、その底面に、毛髪カット練習用器具１を取り付けて支持するための取付支持台２２（図１０参照。）のテーパー状挿入取付部２３に、嵌挿されるテーパー形状の固定用穴部２４とを備えている。前記固定用穴部２４は、図１、図７に示すように、基台５の内部において、基台５の天板２５と平行に備えられた３枚の中板２６、２７、２８のそれぞれほぼ中央に、取付支持台２２のテーパー状挿入取付部２３が嵌挿されるように貫通穴２９、３０、３１が形成されている。この貫通穴２９、３０、３１の開口径は、下方ほど大となるように形成されている。
【００１９】
前記取付支持台２２は、図１０に示すように、毛髪カット練習用器具１の基台５に形成された固定用穴部２４に嵌入して連結するテーパー状挿入取付部２３と、このテーパー状挿入取付部２３を保持して机の天板等に固定されるベース体３２とからなっている。
【００２０】
テーパー状挿入取付部２３は、テーパー形状の挿入部３７と、これを支持する支持部３８とからなっている。また、ベース体３２は、しゃこ万力式の固定部３３と、テーパー状挿入取付部２３の下端に設けられた連結球体３４を保持する保持部３５とからなり、テーパー状挿入取付部２３を任意の方向に傾動できるように保持している。これにより、毛髪カット練習用具１を所望の傾斜角度に調整することができる。なお、保持部３５の開口周縁において、切欠き部３６を４箇所形成されている。この切欠き部３６は、これにテーパー状挿入取付部２３の支持部３８が入り込むことで、テーパー状挿入取付部２３の傾斜角をより水平に近づけることが可能となるものであって、これを４箇所設けることで、より好ましい。
【００２１】
本実施形態の毛髪カット練習用器具１によれば、図１１（ａ）〜（ｃ）に示すように、ロール状に巻回された毛髪カット練習用の帯状シート７を繰り出す際に、シート繰出部４においてシート面の上下位置を規制した状態で帯状シー７トを通過させることにより、そのシート面上方向からシート面下方向のいずれかの任意の方向に規制しながら帯状シート７を繰り出すことができるため、指で挟んだ髪を特定方向に挟み上げるという練習ができる。またシート繰出部４において所定の抵抗を帯状シート７に付与することにより、帯状シート７を所定のテンション以上で引っ張ると繰り出し可能となり、また所定のテンション未満であると繰り出し不可能となる。そしてこの所定のテンションは実際の毛髪を引っ張った際に人が痛いと感じる程度の引き力となるように抵抗を構成しているため、これにより指で挟んだ髪が弛まないようにかつ相手に痛みを与えないように適度な力で挟み上げるという練習ができる。また収容ボックス３が基台５に回転可能でかつ回転位置の位置決めが可能なように支持されることにより、前記シート繰出部４におけるシート面の上下位置規制とあいまって、帯状シート７の繰出し方向および繰出される帯状シート７のシート面方向のバリエーションが増大し、指で挟んだ髪を特定方向に挟み上げるという練習ができる。また繰出した帯状シート７の長さを変化させることにより、毛髪が長い場合や短い場合など種々の練習ができる。
【００２２】
本発明の毛髪カット練習用器具は、上記実施形態に示す他、種々の形態にすることができる。例えば、軸支部９における収容ボックス３の回転位置の位置決め手段として、前記凸部１４に替えてボールをスプリングで押出すボールプランジャを収容ボックス３に備え、前記凹部１５に替えてボールプランジャのボールが嵌入できる孔部を基台５に複数形成してもよい。
【００２３】
また、シート繰出部４において、シート面方向規制軸１１の側周面に複数の凸部を突設させてもよい。
【産業上の利用可能性】
【００２４】
本発明は、毛髪のカット練習に用いられる毛髪カット練習用器具に関し、特にロール状に巻回された毛髪カット練習用の帯状シートを繰出す毛髪カット練習用器具に関するものであり産業上の利用性を満足することができる。
【図面の簡単な説明】
【００２５】
【図１】本発明の実施形態に係る毛髪カット練習用器具を透視した斜視図である。
【図２】本実施形態の毛髪カット練習用器具を示す正面図である。
【図３】本実施形態の毛髪カット練習用器具を示す平面図である。
【図４】本実施形態の毛髪カット練習用器具を示す底面図である。
【図５】本実施形態の毛髪カット練習用器具を示す右側面図である。
【図６】本実施形態の毛髪カット練習用器具を示す左側面図である。
【図７】本実施形態の毛髪カット練習用器具を透視した一部切欠き正面図である。
【図８】図７のＡ−Ａ断面図である。
【図９】本実施形態の毛髪カット練習用器具の収容ボックスの動作を説明する図である。
【図１０】本実施形態の毛髪カット練習用器具を取付て支持する取付支持台を示す斜視図である。
【図１１】本実施形態の毛髪カット練習用器具を示し、（ａ）〜（ｃ）はその動作を説明する図である。
【符号の説明】
【００２６】
１  毛髪カット練習用器具
２  ロール体
３  収容ボックス
４  シート繰出部
５  基台
７  帯状シート
１１  シート面方向規制軸
１２  スポンジ（軟弾性材）
１４  凸部
１５  凹部
１６  スプリング（付勢手段）
２２  取付支持台
２３  テーパー状挿入取付部
２４  固定用穴部
【図１】
2006154468.tif 000003
【図２】
2006154468.tif 000004
【図３】
2006154468.tif 000005
【図４】
2006154468.tif 000006
【図５】
2006154468.tif 000007
【図６】
2006154468.tif 000008
【図７】
2006154468.tif 000009
【図８】
2006154468.tif 000010
【図９】
2006154468.tif 000011
【図１０】
2006154468.tif 000012
【図１１】
2006154468.tif 000013